(57)【特許請求の範囲】
【請求項１】
貼付対象物に貼付されるラベルの長さであるラベル長の基準となる基準単位の長さを記憶する単位長記憶部と、
前記ラベル長に相当する前記基準単位の数を取得する単位数取得部と、
記憶された前記基準単位の長さ、および取得された前記基準単位の数に基づいて、前記ラベル長を設定するラベル長設定部と、
設定された前記ラベル長の分、テープを送る送り部と、
前記テープに画像を印刷する印刷部と、を備え、
前記印刷部は、設定された前記ラベル長の分、送られる前記テープに印刷する際に、前記テープの長さ方向において、前記基準単位の長さよりも長い前記画像を印刷可能であることを特徴とするテープ印刷装置。
【請求項２】
前記単位長記憶部は、複数の区画が並び設けられた前記貼付対象物に貼付される前記ラベル長の基準となる前記基準単位の長さとして、一の前記区画の長さを記憶し、
前記単位数取得部は、前記基準単位の数として、前記複数の区画のうち前記ラベルが貼付される前記区画の数を取得することを特徴とする請求項１に記載のテープ印刷装置。
【請求項３】
前記単位数取得部は、第１の時単位で連続した表記時がそれぞれ表記された前記複数の区画のうち、前記ラベルが貼付される前記区画の数として、前記ラベルが貼付される前記区画における最初の前記表記時である開始時から最後の前記表記時である終了時までの貼付期間を取得することを特徴とする請求項２に記載のテープ印刷装置。
【請求項４】
前記単位数取得部は、前記貼付期間を、前記貼付期間の入力操作に基づいて取得することを特徴とする請求項３に記載のテープ印刷装置。
【請求項５】
前記単位数取得部は、前記貼付期間を、前記開始時および前記終了時の入力操作に基づいて算出することを特徴とする請求項３に記載のテープ印刷装置。
【請求項６】
前記テープを切断する切断部と、
前記貼付期間が、前記複数の区画が前記第１の時単位よりも長い第２の時単位で分けられた複数の区画列に亘るか否かを判断する貼付期間判断部と、
前記貼付期間が前記複数の区画列に亘ると判断された場合、前記区画列ごとに部分貼付期間を設定する部分貼付期間設定部と、をさらに備え、
前記ラベル長設定部は、設定された前記各部分貼付期間に対応した部分ラベル長を設定し、
前記送り部は、設定された前記各部分ラベル長で前記切断部により前記テープが切断されるように、前記各部分ラベル長ずつ、前記テープを送ることを特徴とする請求項３ないし５のいずれか一項に記載のテープ印刷装置。
【請求項７】
前記テープに画像を印刷する印刷部、をさらに備え、
前記印刷部は、前記テープの長さ方向に沿って順に、第１キャラクターと、第２キャラクターと、第３キャラクターと、を含む枠画像を印刷する場合に、設定された前記ラベル長に応じて前記第２キャラクターの数または長さを変更することを特徴とする請求項１ないし６のいずれか一項に記載のテープ印刷装置。
【請求項８】
貼付対象物に貼付されるラベルの長さであるラベル長の基準となる基準単位の長さを記憶し、
前記ラベル長に相当する前記基準単位の数を取得し、
記憶した前記基準単位の長さ、および取得した前記基準単位の数に基づいて、前記ラベル長を設定し、
印刷データを、設定した前記ラベル長の分、テープが送られるように、前記ラベル長に基づいて生成すると共に、設定した前記ラベル長の分、送られる前記テープに印刷する際に、前記テープの長さ方向において、前記基準単位の長さよりも長い画像が印刷されるように、生成する
ことを特徴とするテープ印刷装置における印刷データ生成方法。
【請求項９】
複数の区画が並び設けられた貼付対象物に貼付されるラベルの長さであるラベル長の基準となる基準単位の長さとして、一の前記区画の長さを記憶する単位長記憶部と、
前記ラベル長に相当する前記基準単位の数として、前記複数の区画のうち前記ラベルが貼付される前記区画の数を取得する単位数取得部と、
記憶された前記基準単位の長さ、および取得された前記基準単位の数に基づいて、前記ラベル長を設定するラベル長設定部と、
設定された前記ラベル長の分、テープを送る送り部と、を備え、
前記単位数取得部は、第１の時単位で連続した表記時がそれぞれ表記された前記複数の区画のうち、前記ラベルが貼付される前記区画の数として、前記ラベルが貼付される前記区画における最初の前記表記時である開始時から最後の前記表記時である終了時までの貼付期間を取得することを特徴とするテープ印刷装置。
【発明の詳細な説明】
【技術分野】
【０００１】
本発明は、テープから所望の長さのラベルを作成するテープ印刷装置および印刷データ生成方法に関するものである。
【背景技術】
【０００２】
従来、パッチパネルに貼付されるパッチパネル用ラベルを構成する部分ラベルの数を入力する情報入力部と、部分ラベルの長さを、長さ設定画面における複数の長さ選択肢の中からの選択操作に基づいて設定する定長設定部とを備えたラベル作成装置が知られている（特許文献１参照）。ユーザーは、長さ設定画面における部分ラベルの長さの選択操作に先立って、部分ラベルが貼付される箇所の長さ、つまりパッチパネルにおける隣接端子間の長さを、定規等を用いて予め測定しておく必要がある。
【先行技術文献】
【特許文献】
【０００３】
【特許文献１】特開２０１２−０３５５４３号公報
【発明の概要】
【発明が解決しようとする課題】
【０００４】
本発明者は、以下の課題を見出した。
テープ印刷装置が、ラベル長の入力操作に基づいて、ラベル長を設定する構成であると、ユーザーは、ラベルが貼付される箇所の長さを予め測定しておかなければならず、面倒である。
【０００５】
本発明は、ユーザーがラベル長を入力せずとも、ラベル長を設定することができるテープ印刷装置および印刷データ生成方法を提供することを課題としている。
【課題を解決するための手段】
【０００６】
本発明のテープ印刷装置は、貼付対象物に貼付されるラベルの長さであるラベル長の基準となる基準単位の長さを記憶する単位長記憶部と、ラベル長に相当する基準単位の数を取得する単位数取得部と、記憶された基準単位の長さ、および取得された基準単位の数に基づいて、ラベル長を設定するラベル長設定部と、設定されたラベル長の分、テープを送る送り部と、を備えたことを特徴とする。
【０００７】
本発明のテープ印刷装置における印刷データ生成方法は、貼付対象物に貼付されるラベルの長さであるラベル長の基準となる基準単位の長さを記憶し、ラベル長に相当する基準単位の数を取得し、記憶した基準単位の長さ、および取得した基準単位の数に基づいて、ラベル長を設定し、設定したラベル長の分、テープを送るための印刷データを、ラベル長に基づいて生成することを特徴とする。
【０００８】
この構成によれば、テープ印刷装置は、基準単位の数を取得すれば、取得した基準単位の数、および記憶しておいた基準単位の長さに基づいて、ラベル長を設定することができる。したがって、テープ印刷装置は、ユーザーがラベル長を入力せずとも、ラベル長を設定することができる。
【０００９】
この場合、単位長記憶部は、複数の区画が並び設けられた貼付対象物に貼付されるラベル長の基準となる基準単位の長さとして、一の区画の長さを記憶し、単位数取得部は、基準単位の数として、複数の区画のうちラベルが貼付される区画の数を取得することが好ましい。
【００１０】
この構成によれば、テープ印刷装置は、区画の数を取得すれば、取得した区画の数、および記憶しておいた区画の長さに基づいて、ラベルが貼付される区画の数に対応したラベル長を設定することができる。
【００１１】
この場合、単位数取得部は、第１の時単位で連続した表記時がそれぞれ表記された複数の区画のうち、ラベルが貼付される区画の数として、ラベルが貼付される区画における最初の表記時である開始時から最後の表記時である終了時までの貼付期間を取得することが好ましい。
【００１２】
この構成によれば、テープ印刷装置は、区画の数として貼付期間を取得すれば、取得した貼付期間、および記憶しておいた区画の長さに基づいて、ラベルが貼付される区画の数に対応したラベル長を設定することができる。
【００１３】
この場合、単位数取得部は、貼付期間を、貼付期間の入力操作に基づいて取得することが好ましい。
【００１４】
この構成によれば、テープ印刷装置は、貼付期間を、貼付期間の入力操作に基づいて取得することができる。
【００１５】
この場合、単位数取得部は、貼付期間を、開始時および終了時の入力操作に基づいて算出することが好ましい。
【００１６】
この構成によれば、テープ印刷装置は、貼付期間を、開始時および終了時の入力操作に基づいて取得することができる。
【００１７】
この場合、テープを切断する切断部と、貼付期間が、複数の区画が第１の時単位よりも長い第２の時単位で分けられた複数の区画列に亘るか否かを判断する貼付期間判断部と、貼付期間が複数の区画列に亘ると判断された場合、区画列ごとに部分貼付期間を設定する部分貼付期間設定部と、をさらに備え、ラベル長設定部は、設定された各部分貼付期間に対応した部分ラベル長を設定し、送り部は、設定された各部分ラベル長で切断部によりテープが切断されるように、各部分ラベル長ずつ、テープを送ることが好ましい。
【００１８】
この構成によれば、テープ印刷装置は、貼付期間が複数の区画列に亘る場合に、区画列ごとの部分貼付期間に対応した部分ラベル長を有する部分ラベルを作成することができる。
【００１９】
この場合、テープに画像を印刷する印刷部、をさらに備え、印刷部は、テープの長さ方向に沿って順に、第１キャラクターと、第２キャラクターと、第３キャラクターと、を含む枠画像を印刷する場合に、設定されたラベル長に応じて第２キャラクターの数または長さを変更することが好ましい。
【００２０】
この構成によれば、テープ印刷装置は、設定したラベル長に応じて、第２キャラクターの数および長さの少なくとも一方が異なる枠画像をテープに印刷することができる。
【図面の簡単な説明】
【００２１】
【図１】本発明の一実施形態に係るテープ印刷装置を表側から見た斜視図である。
【図２】テープ印刷装置を裏側から見た斜視図である。
【図３】テープ印刷装置の蓋体を外した状態の斜視図である。
【図４】ラベル作成メニューにより作成されたラベルが、マス目式カレンダーに貼付された状態を示す図である。
【図５】（ａ）は絵文字としてマークが印刷されたラベルを示す図、（ｂ）は絵文字として枠画像が印刷されたラベルを示す図である。
【図６】テープ印刷装置のハードウェア構成例を示す図である。
【図７】第１実施形態のテープ印刷装置の機能構成例を示す図である。
【図８】第１実施形態の設定メニューのフローチャートである。
【図９】第１実施形態の設定メニューにおける画面遷移図である。
【図１０】第１実施形態のラベル作成メニューのフローチャートである。
【図１１】図１０に続く第１実施形態のラベル作成メニューのフローチャートである。
【図１２】第１実施形態のラベル作成メニューにおける画面遷移図である。
【図１３】印刷データ生成処理のフローチャートである。
【図１４】（ａ）は、絵文字として枠画像が設定され、基準単位の数が「１」である場合に得られたラベルを示す図、（ｂ）は、絵文字として枠画像が設定され、基準単位の数が「２」である場合に得られたラベルを示す図である。
【図１５】週ごとの部分貼付期間に対応した部分ラベル長を有する部分ラベルが、マス目式カレンダーに貼付された状態を示す図である。
【図１６】第２実施形態のテープ印刷装置の機能構成例を示す図である。
【図１７】曜日テーブルを示す図である。
【図１８】第２実施形態の設定メニューのフローチャートである。
【図１９】第２実施形態の設定メニューにおける画面遷移図である。
【図２０】第２実施形態のラベル作成メニューのフローチャートである。
【図２１】第２実施形態のラベル作成メニューにおける画面遷移図である。
【図２２】印刷処理のフローチャートである。
【図２３】ラベル作成メニューにより作成された縦書きのラベルが、縦型カレンダーに貼付された状態を示す図である。
【図２４】ラベル作成メニューにより作成されたラベルが、タイムスケジュール表に貼付された状態を示す図である。
【図２５】ラベル作成メニューにより作成されたラベルが、タイル壁に貼付された状態を示す図である。
【発明を実施するための形態】
【００２２】
以下、添付の図面を参照しながら、本発明の一実施形態に係るテープ印刷装置について説明する。
【００２３】
（第１実施形態）
図１ないし図３に示すように、テープ印刷装置１は、装置ケース２と、蓋体３と、プラテンローラー４と、印刷ヘッド５と、テープカッター６と、カッターボタン７とを備えている。
なお、プラテンローラー４は、「送り部」の一例である。印刷ヘッド５は、「印刷部」の一例である。テープカッター６は、「切断部」の一例である。
【００２４】
装置ケース２は、テープ印刷装置１の外殻を形成している。装置ケース２の表側には、キーボード８と、ディスプレイ９とが設けられている。キーボード８は、ユーザーによる入力操作を受け付ける。キーボード８には、文字・記号を入力するための文字キー、カーソル移動や選択肢切替えのためのカーソルキー、選択肢決定のための選択キー、印刷実行のための印刷キーのほか、特定の機能が割り当てられた種々のキーが設けられている。ディスプレイ９は、キーボード８による入力結果等を表示する。ユーザーは、ディスプレイ９に表示された入力結果を確認しながら、キーボード８から印刷したい文字、記号などを入力する。
【００２５】
装置ケース２の裏側には、ロール装着部１１と、電池収容部１２と、送り経路１３とが設けられている。さらに、装置ケース２の側面には、テープ排出口１４が設けられている。
【００２６】
ロール装着部１１には、小巻のテープロールＲが装着される。テープロールＲは、軸心に所定の大きさの孔を形成するように、長尺のテープＴｐをロール状に巻き締めて構成されている。テープＴｐは、テープ本体と、剥離テープとを有する。テープ本体は、感熱紙で構成されている。テープＴｐは、いわゆるマスキングテープであって、テープ本体表面の色や柄の異なる複数種のものが用意されている。なお、テープＴｐの幅は、特に限定されるものではないが、例えば１５ｍｍ程度である。
【００２７】
送り経路１３は、ロール装着部１１とテープ排出口１４との間に設けられている。ロール装着部１１から繰り出されたテープＴｐが、送り経路１３を通って、テープ排出口１４から装置外へと排出される。
【００２８】
蓋体３は、装置ケース２の裏側に設けられている。蓋体３は、ロール装着部１１、電池収容部１２および送り経路１３を開閉する。ユーザーは、テープロールＲの装着時や、電池の交換時等に、蓋体３を開閉する。
【００２９】
プラテンローラー４は、送りモーター１５を駆動源として回転する。プラテンローラー４は、印刷ヘッド５との間で挟持したテープＴｐを回転送りする。印刷ヘッド５は、テープＴｐに対して、文字、記号および図形などの画像を印刷する。印刷ヘッド５は、プラテンローラー４に対して、送り経路１３を挟んで対峙するように設けられている。印刷ヘッド５は、サーマルタイプのものである。印刷ヘッド５が発熱駆動することにより、送り経路１３を送られていくテープＴｐに対して画像が印刷される。各画像は、ビットマップフォントとして表される。
【００３０】
テープカッター６は、プラテンローラー４および印刷ヘッド５の下流側に設けられている。テープカッター６は、テープＴｐを幅方向に切断する切断動作を行う。カッターボタン７は、テープカッター６を、手動操作により、切断動作させるためのものである。テープカッター６が切断動作を行うことにより、テープＴｐの印刷済み部分が切り離され、ラベルＡ（図４参照）が作成される。
なお、テープ印刷装置１は、後述するラベル作成メニューとは別に、定長印刷機能を備えている。定長印刷機能とは、例えばミリメートル単位でキーボード８から入力された長さのラベルＡを作成するためのものである。
【００３１】
以下の説明では、テープ印刷装置１に用意されている印刷メニューの一つである、ラベル作成メニュー、および同印刷メニューにより作成されるラベルＡ（スケジュールラベル）について述べる。
【００３２】
図４に示すように、ラベル作成メニューにより作成されるラベルＡは、例えば、手帳に設けられているマス目式カレンダーＣａに貼付されるものである。ラベルＡは、マス目式カレンダーＣａにおいて、行事等の内容および期間を表示する。
なお、マス目式カレンダーＣａには、複数のマスＳが縦横に並び設けられている。横方向に並ぶ複数のマスＳには、「日」単位で連続した日付Ｅがそれぞれ表記されている。マスＳの横方向の長さであるマス長Ｌｓは、複数のマスＳ間で略均一である。また、複数のマスＳは、「週」単位で複数のマス列ＳＳに分けられている。つまり、各マス列ＳＳにおいて、複数個のマスＳが横方向に並んでいる。
なお、「日」単位は、「第１の時単位」の一例である。日付Ｅは、「表記時」の一例である。マスＳは、「区画」の一例である。マス列ＳＳは、「区画列」の一例である。
【００３３】
テープ印刷装置１は、例えば、２泊３日の旅行を表示するラベルＡとして、マスＳの３個分のラベル長Ｌａを有し、「旅行」と表示されたラベルＡを作成する。ユーザーは、作成されたラベルＡを、マス目式カレンダーＣａの１月１５日から１月１７日までのマスＳに貼付する。これにより、マス目式カレンダーＣａにおいて、１月１５日から１月１７日まで旅行に行く予定である（或いは、旅行に行った）ことを表示することができる。
なお、ラベルＡが貼付されるマスＳにおける最初の日付Ｅである開始日Ｅａ（図４の例では１５日）から最後の日付Ｅである終了日Ｅｂ（図４の例では１７日）までの期間を、貼付期間Ｐという。図４の例では、貼付期間Ｐは３日間である。
【００３４】
図５に示すように、テープ印刷装置１は、ラベル作成メニューにおいて、絵文字Ｆと、第１テキストＴ１と、第２テキストＴ２とをそれぞれ印刷する。テープ印刷装置１は、絵文字Ｆ、第１テキストＴ１および第２テキストＴ２のいずれか１または２以上を省略して印刷することも可能である（図４に示したラベルＡは、絵文字Ｆと、第１テキストＴ１および第２テキストＴ２の一方とが省略されたものである）。
【００３５】
さらに、図５（ｂ）に示すように、テープ印刷装置１は、絵文字Ｆの一種として、枠画像Ｆａ（ライン枠）を印刷することも可能である。枠画像Ｆａは、テープＴｐの長さ方向に沿って先端側から順に、第１キャラクターＣ１と、第２キャラクターＣ２と、第３キャラクターＣ３とを有している。
【００３６】
図６を参照して、テープ印刷装置１のハードウェア構成例について説明する。テープ印刷装置１は、上記の印刷ヘッド５、キーボード８、ディスプレイ９および送りモーター１５に加え、コントローラー２０を備えている。
【００３７】
コントローラー２０は、図示しないＣＰＵ（Central Processing Unit）、ＲＯＭ（Read Only Memory）、ＲＡＭ（Random Access Memory）などにより構成される。コントローラー２０のＣＰＵは、ＲＯＭからプログラムをロードしてＲＡＭを用いて実行し、テープ印刷装置１の全体の動作を制御する。
【００３８】
図７を参照して、テープ印刷装置１の機能構成例について説明する。図７に示す機能部のうちの少なくとも一部は、図６のコントローラー２０により所定のプログラムが実行されることによって実現される。
【００３９】
テープ印刷装置１は、単位長記憶部２１と、単位数取得部２２と、ラベル長設定部２３と、絵文字設定部２４と、テキスト設定部２５と、印刷データ生成部２６とを備えている。
【００４０】
単位長記憶部２１は、ラベル長Ｌａの基準となる基準単位の長さとしてマス長Ｌｓを記憶する。すなわち、単位長記憶部２１は、後述する設定メニューの手帳枠幅入力画面Ｄ２において、キーボード８が受け付けた手帳枠幅の入力操作に基づいて、マス長Ｌｓを記憶する。
【００４１】
単位数取得部２２は、基準単位の数として貼付期間Ｐを取得する。すなわち、単位数取得部２２は、後述する期間選択画面Ｄ１１をディスプレイ９に表示する。単位数取得部２２は、期間選択画面Ｄ１１において、キーボード８が受け付けた日数の選択操作に基づいて、貼付期間Ｐを取得する。
【００４２】
ラベル長設定部２３は、単位長記憶部２１に記憶されているマス長Ｌｓと、単位数取得部２２により取得された貼付期間Ｐ（マスＳの数）とに基づいて、ラベル長Ｌａを設定する。すなわち、ラベル長設定部２３は、マス長Ｌｓと貼付期間Ｐとの積を算出し、算出された積をラベル長Ｌａとして設定する。
【００４３】
絵文字設定部２４は、後述する枠画像選択画面Ｄ１３やマーク選択画面Ｄ１４等をディスプレイ９に表示する。絵文字設定部２４は、枠画像選択画面Ｄ１３やマーク選択画面Ｄ１４において、キーボード８が受け付けた選択操作に基づいて、絵文字Ｆを設定する。
【００４４】
テキスト設定部２５は、後述する第１テキスト入力画面Ｄ１５および第２テキスト入力画面Ｄ１６をディスプレイ９に表示する。テキスト設定部２５は、第１テキスト入力画面Ｄ１５および第２テキスト入力画面Ｄ１６において、キーボード８が受け付けたテキストの入力操作に基づいて、第１テキストＴ１および第２テキストＴ２を設定する。
【００４５】
印刷データ生成部２６は、設定されたラベル長Ｌａ、絵文字Ｆ、第１テキストＴ１および第２テキストＴ２に基づいて、印刷データを生成する。生成された印刷データに基づいて、プラテンローラー４が、ラベル長Ｌａに相当する長さ分、テープＴｐを送ると共に、印刷ヘッド５が、絵文字Ｆ、第１テキストＴ１および第２テキストＴ２をテープＴｐに印刷する。これにより、設定されたラベル長Ｌａに相当する長さを有し、設定された絵文字Ｆ、第１テキストＴ１および第２テキストＴ２が印刷されたラベルＡが得られる。
【００４６】
図９を参照しつつ、図８を用いて、設定メニューについて説明する。設定メニューでは、マス長Ｌｓの設定をはじめ、各種パラメーターや条件の設定が行われる。
所定のキー操作により設定メニューが呼び出されると、テープ印刷装置１は、設定画面Ｄ１をディスプレイ９に表示する（Ｓ１）。設定画面Ｄ１において「手帳枠幅」が選択されると（Ｓ２；Ｙｅｓ、Ｓ３；手帳枠幅）、テープ印刷装置１は、手帳枠幅入力画面Ｄ２をディスプレイ９に表示する（Ｓ４）。なお、テープ印刷装置１は、設定画面Ｄ１において「手帳枠幅」以外が選択された場合（Ｓ２；Ｙｅｓ、Ｓ３；後余白調整または電池種類）、その選択に応じた設定処理を行い（Ｓ５、Ｓ６）、その後設定メニューを終了する。
【００４７】
ユーザーは、ラベルＡが貼り付けられるマス目式カレンダーＣａのマス長Ｌｓを予め測定しておき、その測定結果を、手帳枠幅入力画面Ｄ２において手帳枠幅として入力する。なお、手帳枠幅入力画面Ｄ２においては、表示されている選択肢のなかからカーソルキーにより手帳枠幅を選択するほか、文字キーから手帳枠幅の数値を入力することも可能となっている。手帳枠幅が入力されると（Ｓ７；Ｙｅｓ）、単位長記憶部２１は、入力された手帳枠幅を、マス長Ｌｓとして記憶する（Ｓ８）。その後、テープ印刷装置１は、設定メニューを終了する。
【００４８】
図１２を参照しつつ、図１０および図１１を用いて、ラベル作成メニューについて説明する。
所定のキー操作によりラベル作成メニューが開始されると、単位数取得部２２が、期間選択画面Ｄ１１をディスプレイ９に表示する（Ｓ１１）。ユーザーは、貼付期間Ｐの日数（図４に示した例でいえば、３日）を、期間選択画面Ｄ１１に表示されている選択肢のなかから選択する。日数が選択されると（Ｓ１２；Ｙｅｓ）、単位数取得部２２は、選択された日数を貼付期間Ｐとして取得する（Ｓ１３）。
【００４９】
続いて、絵文字設定部２４が、絵文字選択画面Ｄ１２をディスプレイ９に表示する（Ｓ１４）。絵文字選択画面Ｄ１２において「ライン枠」が選択されると（Ｓ１５；Ｙｅｓ、Ｓ１６；ライン枠）、絵文字設定部２４は、枠画像選択画面Ｄ１３をディスプレイ９に表示する（Ｓ１７）。ユーザーは、枠画像選択画面Ｄ１３において、表示されている選択肢のなかからカーソルキーにより枠画像Ｆａを選択するほか、数字キーから枠画像Ｆａの番号を入力することにより枠画像Ｆａを選択することも可能となっている。枠画像Ｆａが選択されると（Ｓ１８；Ｙｅｓ）、絵文字設定部２４は、選択された枠画像Ｆａを絵文字Ｆとして設定する（Ｓ１９）。ステップＳ１９の後、ステップＳ２３に進む。
【００５０】
一方、絵文字選択画面Ｄ１２において「おでかけ」が選択されると（Ｓ１５；Ｙｅｓ、Ｓ１６；おでかけ）、絵文字設定部２４は、マーク選択画面Ｄ１４をディスプレイ９に表示する（Ｓ２０）。ユーザーは、所望のデザインのマークを選択肢のなかから選択する。なお、マークの選択肢には、図５（ａ）に示したスーパーマーケットなどの出掛け先を表すものが用意されている。マークが選択されると（Ｓ２１；Ｙｅｓ）、絵文字設定部２４は、選択されたマークを絵文字Ｆとして設定する（Ｓ２２）。ステップＳ２２の後、ステップＳ２３に進む。
【００５１】
ステップＳ２３では、テキスト設定部２５が、第１テキスト入力画面Ｄ１５をディスプレイ９に表示する。第１テキスト入力画面Ｄ１５において、テキストの入力が完了すると（Ｓ２４；Ｙｅｓ）、テキスト設定部２５は、入力されたテキストを第１テキストＴ１として設定する（Ｓ２５）。続いて、テキスト設定部２５は、第２テキスト入力画面Ｄ１６をディスプレイ９に表示する（Ｓ２６）。第２テキスト入力画面Ｄ１６において、テキストの入力が完了すると（Ｓ２７；Ｙｅｓ）、テキスト設定部２５は、入力されたテキストを第２テキストＴ２として設定する（Ｓ２８）。
【００５２】
続いて、印刷キーが操作されると（Ｓ２９；Ｙｅｓ）、ラベル長設定部２３が、記憶されているマス長Ｌｓと、期間選択画面Ｄ１１において選択された貼付期間Ｐとの積を算出し、算出された積をラベル長Ｌａとして設定する（Ｓ３０）。なお、期間選択画面Ｄ１１において「指定しない」が選択された場合には、ラベル長設定部２３は、第１テキストＴ１および第２テキストＴ２の長さに合わせたラベル長Ｌａに設定する。
【００５３】
続いて、印刷データ生成部２６が、後述する印刷データ生成処理を実行する（Ｓ３１）。テープ印刷装置１は、印刷データ生成処理により生成された印刷データに基づいて、設定されたラベル長Ｌａの分、印刷を実行する（Ｓ３２）。印刷実行後、テープ印刷装置１は、ラベル作成メニューを終了する。
【００５４】
図１３を参照して、印刷データ生成処理について説明する。印刷データ生成処理が開始されると、印刷データ生成部２６は、設定された絵文字Ｆが枠画像Ｆａであるか否かを判断する（Ｓ４１）。印刷データ生成部２６は、設定された絵文字Ｆが枠画像Ｆａではないと判断した場合（Ｓ４１；Ｎｏ）、ステップＳ４３に進む。一方、印刷データ生成部２６は、設定された絵文字Ｆが枠画像Ｆａであると判断した場合（Ｓ４１；Ｙｅｓ）、設定されたラベル長Ｌａに応じて、枠画像Ｆａの第２キャラクターＣ２の数を設定し（Ｓ４２）、ステップＳ４３に進む。なお、印刷データ生成部２６は、ラベル長Ｌａに応じて、第２キャラクターＣ２の長さを設定してもよく、第２キャラクターＣ２の数および長さの双方を設定してもよい。
【００５５】
ステップＳ４３では、印刷データ生成部２６は、取得された貼付期間Ｐが「１」であるか否かを判断する。印刷データ生成部２６は、取得された貼付期間Ｐが「１」であると判断した場合（Ｓ４３；Ｙｅｓ）、第１テキストＴ１および第２テキストＴ２の割付けを「中寄せ」に設定し（Ｓ４４）、その後ステップＳ４６に進む。印刷データ生成部２６は、取得された貼付期間Ｐが「１」ではないと判断した場合（Ｓ４３；Ｎｏ）、第１テキストＴ１および第２テキストＴ２の割付けを「前寄せ」に設定し（Ｓ４５）、その後ステップＳ４６に進む。ステップＳ４６では、これらの設定に基づいて、印刷データを生成する。印刷データ生成部２６が印刷データを生成した後、ラベル作成メニューに戻る。
【００５６】
図１４（ａ）は、絵文字Ｆとして枠画像Ｆａが設定され、貼付期間Ｐが「１」である場合に得られたラベルＡを示す。図１４（ｂ）は、絵文字Ｆとして枠画像Ｆａが設定され、貼付期間Ｐが「２」以上である場合に得られたラベルＡを示す。このように、印刷ヘッド５は、ラベル長Ｌａに応じて、第２キャラクターＣ２の数が異なる枠画像Ｆａを印刷する。なお、図１４では、ビットマップフォントである第２キャラクターＣ２を、矩形の二点鎖線により仮想的に示す。
【００５７】
また、貼付期間Ｐが「１」である場合、つまり、ラベルＡが貼付されるマスＳの数が「１」である場合には、第１テキストＴ１および第２テキストＴ２の割付けが「中寄せ」となる。一方、貼付期間Ｐが「２」以上である場合、つまり、ラベルＡが貼付されるマスＳの数が「２」以上である場合には、第１テキストＴ１および第２テキストＴ２の割付けが「前寄せ」となる。したがって、貼付期間Ｐに応じて、第１テキストＴ１および第２テキストＴ２を、マス目式カレンダーＣａのマスＳに対してバランス良く配置することができる。すなわち、ラベルＡが貼付されるマスＳの数が「１」である場合には、そのマスＳの略中央に第１テキストＴ１および第２テキストＴ２が位置するように配置することができる。また、ラベルＡが貼付されるマスＳの数が「２」以上である場合には、１日目のマスＳに第１テキストＴ１および第２テキストＴ２が位置するように配置することができる。
【００５８】
以上のように、本実施形態のテープ印刷装置１は、基準単位の数として貼付期間Ｐを取得すれば、取得した貼付期間Ｐ、および記憶しておいた基準単位の長さであるマス長Ｌｓに基づいて、ラベル長Ｌａを設定することができる。したがって、テープ印刷装置１は、ユーザーがラベル長Ｌａを入力せずとも、ラベル長Ｌａを設定することができる。換言すれば、ユーザーにとっては、一度、所有している手帳等のマス目式カレンダーＣａのマス長Ｌｓを測定し、そのマス長Ｌｓを記憶させておけばよい。そうすれば、ラベルＡを作成するたびに、ラベルＡが貼付されるマスＳの総長さを測定する必要がなく、そのマスＳの数（日数）を入力するだけで、ラベルＡが貼付されるマスＳの数に対応したラベル長Ｌａを有するラベルＡを得ることができる。
なお、ユーザーは、手帳を代えたなどのために、マス目式カレンダーＣａのマス長Ｌｓが変わった場合には、上記の設定メニューにおいて、マス長Ｌｓを変更すればよい。
【００５９】
（第２実施形態）
以下の説明では、第２実施形態のテープ印刷装置１におけるラベル作成メニュー、および同印刷メニューにより作成されるラベルＡ（スケジュールラベル）について述べる。
なお、特に断らない限り、第１実施形態のテープ印刷装置１について述べた事項は、第２実施形態のテープ印刷装置１にも同様に当てはまるものである。
【００６０】
図１５に示すように、第２実施形態のテープ印刷装置１は、ラベル作成メニューにおいて、貼付期間Ｐが複数のマス列ＳＳ（２週以上）に亘る場合に、週ごとの部分貼付期間Ｐｐに対応した部分ラベル長Ｌｐを有する部分ラベルＡｐを作成可能である。
【００６１】
図１６を参照して、テープ印刷装置１の機能構成例について説明する。テープ印刷装置は、上記した単位長記憶部２１と、単位数取得部２２と、ラベル長設定部２３と、絵文字設定部２４と、テキスト設定部２５と、印刷データ生成部２６とに加え、カレンダー様式記憶部３１と、曜日取得部３２と、曜日テーブル記憶部３３と、貼付期間判断部３４と、部分貼付期間設定部３５とを備えている。
【００６２】
カレンダー様式記憶部３１は、カレンダー様式を記憶する。カレンダー様式とは、マス目式カレンダーＣａが、何曜日始まりであるかを示すものである。カレンダー様式記憶部３１は、後述する手帳種類選択画面Ｄ３において、キーボード８が受け付けた手帳種類の選択操作に基づいて、カレンダー様式を記憶する。
【００６３】
曜日取得部３２は、貼付期間Ｐの開始日Ｅａの曜日を取得する。曜日取得部３２は、後述する曜日選択画面Ｄ２１をディスプレイ９に表示する。曜日取得部３２は、曜日選択画面Ｄ２１において、キーボード８が受け付けた曜日の選択操作に基づいて、開始日Ｅａの曜日を取得する。
【００６４】
曜日テーブル記憶部３３は、図１７に示すように、カレンダー様式ごとに、各曜日と１から７までの整数とを関連付けた曜日テーブルを記憶している。
【００６５】
貼付期間判断部３４は、記憶されているカレンダー様式および曜日テーブル、取得された開始日Ｅａの曜日および貼付期間Ｐに基づいて、貼付期間Ｐが複数のマス列ＳＳに亘るか否かを判断する。
【００６６】
部分貼付期間設定部３５は、貼付期間Ｐが複数のマス列ＳＳに亘ると判断された場合、マス列ＳＳごとに部分貼付期間Ｐｐを設定する。
【００６７】
図１９を参照しつつ、図１８を用いて、設定メニューについて説明する。上述したように、設定メニューが呼び出されると、テープ印刷装置１は、設定画面Ｄ１をディスプレイ９に表示する（Ｓ１）。設定画面Ｄ１において「手帳種類」が選択されると（Ｓ２；Ｙｅｓ、Ｓ３；手帳種類）、テープ印刷装置１は、手帳種類選択画面Ｄ３をディスプレイ９に表示する（Ｓ５１）。ユーザーは、マス目式カレンダーＣａの手帳種類（図１５に示した例でいえば、日曜日始まり）を、手帳種類選択画面Ｄ３に表示されている選択肢のなかから選択する。手帳種類が選択されると（Ｓ５２；Ｙｅｓ）、カレンダー様式記憶部３１は、選択された手帳種類をカレンダー様式として記憶する（Ｓ５３）。その後、テープ印刷装置１は、設定メニューを終了する。
【００６８】
図２１を参照しつつ、図２０を用いて、ラベル作成メニューについて説明する。
所定のキー操作によりラベル作成メニューが開始されると、曜日取得部３２が、曜日選択画面Ｄ２１をディスプレイ９に表示する（Ｓ６１）。曜日選択画面Ｄ２１において曜日が選択されると（Ｓ６２；Ｙｅｓ）、曜日取得部３２は、選択された曜日を、開始日Ｅａの曜日として取得する（Ｓ６３）。続いて、テープ印刷装置１は、第１実施形態と同様に、上記したステップＳ１１からステップＳ３１までの処理を行う。テープ印刷装置１は、後述する印刷処理を実行し（Ｓ６４）、その後ラベル作成メニューを終了する。なお、以下では、貼付期間Ｐの値を、変数Ｙとする。
【００６９】
図２２を参照して、印刷処理について説明する。印刷処理が開始されると、貼付期間判断部３４が、曜日テーブルに従って、記憶されているカレンダー様式と開始日Ｅａの曜日とから定まる値を、変数Ｘに設定する（Ｓ７１）。続いて、貼付期間判断部３４が、変数Ｙから変数Ｘを引いた差分である変数Ａが、０以下であるか否かを判断する（Ｓ７２）。変数Ａが０以下であると判断された場合は（Ｓ７２；Ｙｅｓ）、貼付期間Ｐが複数のマス列ＳＳに亘らないと判断された場合であり、テープ印刷装置１は、ラベル長Ｌａの分、印刷を実行し（Ｓ８４）、その後ラベル作成メニューに戻る。一方、変数Ａが０以下ではないと判断された場合は（Ｓ７２；Ｎｏ）、貼付期間Ｐが複数のマス列ＳＳに亘ると判断された場合であり、ステップＳ７３に進む。
【００７０】
ステップＳ７３では、部分貼付期間設定部３５が、部分ラベルＡｐの部分貼付期間Ｐｐとして変数Ｘを設定する。続いて、ラベル長設定部２３が、マス長Ｌｓと、設定された部分貼付期間Ｐｐとの積を算出し、算出された積を、部分ラベルＡｐの部分ラベル長Ｌｐとして設定する（Ｓ７４）。続いて、テープ印刷装置１は、部分ラベル長Ｌｐの分、印刷を実行し（Ｓ７５）、その後印刷を一時停止する（Ｓ７６）。なお、印刷を一時停止した後、テープ印刷装置１は、ユーザーに対し、カッターボタン７を操作する旨を促すメッセージを、ディスプレイ９に表示することが好ましい。
【００７１】
印刷が一時停止した状態で、カッターボタン７が操作されると、部分ラベルＡｐが得られる。その後、印刷キーが操作されると（Ｓ７７；Ｙｅｓ）、テープ印刷装置１は、カット実行済み回数を表す変数Ｚをインクリーメントする（Ｓ７８）。なお、テープ印刷装置１は、印刷キーの操作に代えて、テープカッター６の切断動作の検出をトリガーとして、カット実行済み回数をインクリーメントしてもよい。
【００７２】
続いて、部分貼付期間設定部３５が、変数Ｚが変数Ｂと１との和に等しいか否かを判断する（Ｓ７９）。なお、変数Ｂは、変数Ａを１週間の日数、すなわち７で割ったときの商である。部分貼付期間設定部３５は、変数Ｚが変数Ｂと１との和に等しくないと判断した場合（Ｓ７９；Ｎｏ）、部分ラベルＡｐの部分貼付期間Ｐｐとして「７」を設定し（Ｓ８０）、その後ステップＳ７４に戻る。
【００７３】
一方、部分貼付期間設定部３５は、変数Ｚが変数Ｂと１との和に等しいと判断した場合（Ｓ７９；Ｙｅｓ）、部分ラベルＡｐの部分貼付期間Ｐｐとして、変数Ａを７で割ったときの余りである変数Ｃを設定する（Ｓ８１）。続いて、ラベル長設定部２３が、マス長Ｌｓと、設定された部分貼付期間Ｐｐである変数Ｃとの積を算出し、算出された積を、部分ラベルＡｐの部分ラベル長Ｌｐとして設定する（Ｓ８２）。続いて、テープ印刷装置１は、部分ラベル長Ｌｐの分、印刷を実行し（Ｓ８３）、その後ラベル作成メニューに戻る。
【００７４】
部分貼付期間設定部３５は、上記の処理を実行することにより、１枚目の部分ラベルＡｐの部分貼付期間Ｐｐとして変数Ｘ（Ｘ日）を設定し、最終枚目の部分ラベルＡｐの部分貼付期間Ｐｐとして変数Ｃ（Ｃ日）を設定し、その他の部分ラベルＡｐの部分ラベル長Ｌｐとして「７」（７日）を設定する。
【００７５】
ここで、より具体的に、ステップＳ５３において、カレンダー様式として「日曜始め」が記憶され、ステップＳ６３において、開始日Ｅａの曜日として「金曜日」が取得され、ステップＳ１３において、貼付期間Ｐとして「１４日」が取得された場合を例に挙げて説明する。この場合、ステップＳ７１では、貼付期間判断部３４が、変数Ｘとして「２」を設定する（図１７参照）。ステップＳ７２では、貼付期間判断部３４が、変数Ａ（＝Ｙ−Ｘ＝１４−２＝１２）が０以下ではないと判断し、ステップＳ７３に進む。ステップＳ７３では、部分貼付期間設定部３５が、１枚目の部分ラベルＡｐの部分貼付期間Ｐｐとして、変数Ｘの値である「２」を設定する。
【００７６】
１回目のステップＳ７９では、部分貼付期間設定部３５は、変数Ｚ（＝１）が変数Ｂ（＝１）と１との和（＝２）に等しくないと判断し、ステップＳ８０に進む。ステップＳ８０では、部分貼付期間設定部３５が、２枚目の部分ラベルＡｐの部分貼付期間Ｐｐとして、「７」を設定し、ステップＳ７４に戻る。２回目のステップＳ７９では、部分貼付期間設定部３５は、変数Ｚ（＝２）が変数Ｂ（＝１）と１との和（＝２）に等しいと判断し、ステップＳ８１に進む。ステップＳ８１では、部分貼付期間設定部３５が、３枚目の部分ラベルＡｐの部分貼付期間Ｐｐとして、変数Ｃの値である「５」を設定する。このようにして、テープ印刷装置１は、図１５に示したように、部分貼付期間Ｐｐが２日分である１枚目の部分ラベルＡｐと、部分貼付期間Ｐｐが７日分である２枚目の部分ラベルＡｐと、部分貼付期間Ｐｐが５日分である３枚目の部分ラベルＡｐとを作成することができる。
【００７７】
なお、本発明は上記した実施形態に限定されず、その趣旨を逸脱しない範囲で種々の構成を採用可能であることは言うまでもない。例えば、第１実施形態や第２実施形態は、以下のような形態に変更することができる。
【００７８】
テープ印刷装置１は、貼付期間Ｐ、絵文字Ｆ、第１テキストＴ１および第２テキストＴ２等の各種情報を、キーボード８からの入力操作によらず、例えば外部機器から受信してもよい。
【００７９】
単位数取得部２２は、貼付期間Ｐを、開始日Ｅａおよび終了日Ｅｂの入力操作に基づいて取得してもよい。例えば、単位数取得部２２は、開始日Ｅａとして１月１５日、終了日Ｅｂとして１月１７日が入力された場合に、貼付期間Ｐを３日と算出すればよい。
【００８０】
曜日取得部３２は、取得された開始日Ｅａの年月日と、年月日および曜日を対応付けたテーブルとに基づいて、開始日Ｅａの年月日を取得するようにしてもよい。
【００８１】
テープ印刷装置１は、テープカッター６を切断動作させるモーター等の駆動源を備え、印刷処理が終了した場合や、印刷処理が一時停止した場合に、自動的にテープＴｐを切断するようにしてもよい。
【００８２】
テープ印刷装置１は、テープカートリッジを装着するものであってもよい。また、テープ印刷装置１の送り部は、テープカートリッジに収容されたプラテンローラーを回転させるものであってもよい。
【００８３】
図２３に示すように、テープ印刷装置１は、第１テキストＴ１や第２テキストＴ２が縦書きで印刷されたラベルＡを作成してもよい。縦型カレンダーＣｂにラベルＡを貼付する場合、このような縦書きが可能であると便利である。この場合、テープ印刷装置１は、例えば、開始日Ｅａおよび終了日Ｅｂの月日を取得し、月ごとの部分貼付期間Ｐｐを設定することにより、月別の部分ラベルＡｐを作成することが可能である。
【００８４】
本発明における「第１の時単位」は、日に限らず、例えば、年、月、週、時間、分、秒などを含む概念である。例えば、図２４に示したように、複数のマスＳに「時間」単位で連続した時刻Ｇが表記されたタイムスケジュール表Ｃｃを、貼付対象物としてもよい。この場合、単位数取得部２２は、時間数の入力操作に基づいて、貼付期間Ｐを取得すればよい。また、テープ印刷装置１は、例えば、タイムスケジュール表Ｃｃの様式（何時から何時までのものか）を記憶すると共に、開始時および終了時の日時を取得し、日ごとの部分貼付期間Ｐｐを設定することにより、日別の部分ラベルＡｐを作成することが可能である。
【００８５】
本発明における区画は、日付Ｅ等の表記時が表記されたものに限らず、例えば、図２５に示したように、タイル壁Ｗに縦横に並び設けられたタイルＴを含む概念である。この場合、テープ印刷装置１は、基準単位の長さとして、タイルＴの長さ（厳密にはタイルＴの配置ピッチ）であるタイル長Ｌｔを記憶しておけば、基準単位の数としてタイルＴの個数を取得するだけで、ラベルＡが貼付されるタイルＴの数に対応したラベル長Ｌａを設定することができる。
【００８６】
本発明における基準単位は、区画に限定されるものではなく、例えば、１インチや１フィートを含む概念である。例えば、ユーザーが、３インチのラベル長ＬａのラベルＡを得たい場合、公知の定長印刷機能を利用して、ラベル長Ｌａとして、２５．４×３≒７６ｍｍを入力してもよいが、インチ単位の長さのラベルＡを作成するたびに、インチをミリメートルに換算した数値をラベル長Ｌａとして入力する必要があり、面倒である。これに対し、本構成のテープ印刷装置１は、基準単位の長さとして、２５．４ｍｍを記憶しておけば、基準単位の数としてインチ数を取得するだけで、取得したインチ数をミリメートルに換算したラベル長Ｌａを設定することができる。
【符号の説明】
【００８７】
１      ：テープ印刷装置
４      ：プラテンローラー
２１    ：単位長記憶部
２２    ：単位数取得部
２３    ：ラベル長設定部
Ａ      ：ラベル
Ｃａ    ：マス目式カレンダー
Ｃｂ    ：縦型カレンダー
Ｃｃ    ：タイムスケジュール表
Ｌａ    ：ラベル長
Ｔｐ    ：テープ
【図１】
0006423639.tif 000002
【図２】
0006423639.tif 000003
【図３】
0006423639.tif 000004
【図４】
0006423639.tif 000005
【図５】
0006423639.tif 000006
【図６】
0006423639.tif 000007
【図７】
0006423639.tif 000008
【図８】
0006423639.tif 000009
【図９】
0006423639.tif 000010
【図１０】
0006423639.tif 000011
【図１１】
0006423639.tif 000012
【図１２】
0006423639.tif 000013
【図１３】
0006423639.tif 000014
【図１４】
0006423639.tif 000015
【図１５】
0006423639.tif 000016
【図１６】
0006423639.tif 000017
【図１７】
0006423639.tif 000018
【図１８】
0006423639.tif 000019
【図１９】
0006423639.tif 000020
【図２０】
0006423639.tif 000021
【図２１】
0006423639.tif 000022
【図２２】
0006423639.tif 000023
【図２３】
0006423639.tif 000024
【図２４】
0006423639.tif 000025
【図２５】
0006423639.tif 000026